(57)【特許請求の範囲】
【請求項１】
錠箱内においてその厚さ方向に積層された状態で、側板に垂直な駆動カム軸の周りを回動自在に支承されると共に、夫々室外側或いは室内側の操作軸に連結されるリトラクター駆動用の第１及び第２の一対の外側駆動カムと、これ等の外側駆動カムの所定の角度位置に形成されたロック切欠と、これ等のロック切欠の夫々に係脱する方向に移動可能に案内され、ロック切欠に係入する方向に付勢された一対のロックピースと、錠箱内において外側駆動カムの近傍に配設され、中央部を駆動カム軸と平行なアーム軸の周りを回動可能に支承されると共に、錠箱の厚さ方向に積層して配設され、夫々一端を対応するロックピースに連係させ、他端に傾斜端縁及び延長部を有する作動カムを形成した第１及び第２の一対の施解錠アームと、コイルから離間する方向に付勢されたプランジャを有するソレノイドと、中央部を作動カムとソレノイドのプランジャとの間において回動自在に支承され、一端をソレノイドのプランジャにリンク結合させると共に、他端を第１及び第２施解錠アームの作動カムの夫々の傾斜端縁に臨ませた揺動レバーと、錠箱の外側から、上記第１及び第２施解錠アームの傾斜端縁が揺動レバーの他端から離間する方向に、延長部を独立に押動して固定する第１及び第２の切換え部材とを有することを特徴とする電気錠の左右勝手切換え機構。
【請求項２】
錠箱内においてその厚さ方向に積層された状態で、側板に垂直な駆動カム軸の周りを回動自在に支承されると共に、夫々室外側或いは室内側の操作軸に連結されるリトラクター駆動用の第１及び第２の一対の外側駆動カムと、これ等の外側駆動カムの所定の角度位置に形成されたロック切欠と、これ等のロック切欠の夫々に係脱する方向に移動可能に案内され、ロック切欠に係入する方向に付勢された一対のロックピースと、錠箱内において外側駆動カムの近傍に配設され、中央部を駆動カム軸と平行なアーム軸の周りを回動可能に支承されると共に、錠箱の厚さ方向に積層して配設され、夫々一端を対応するロックピースに連係させ、他端に傾斜端縁及び延長部を有する作動カムを形成した第１及び第２の一対の施解錠アームと、コイルから離間する方向に付勢されたプランジャを有するソレノイドと、中央部を作動カムとソレノイドのプランジャとの間において回動自在に支承され、一端をソレノイドのプランジャにリンク結合させると共に、他端を第１及び第２施解錠アームの作動カムの夫々の傾斜端縁に臨ませた揺動レバーと、上記第１及び第２施解錠アームの夫々に対応して設けられ、相互に重合した状態で、夫々の基端を錠箱の側板に平行な平面内で回動可能に支承されると共に、自由端部を第１及び第２施解錠アームに夫々リンク結合させ、更に、自由端部の錠箱フロント板側の部分に形成された延伸部分に段部を形成した第１及び第２の切替えレバーと、錠箱のフロント板近傍に配設され、中央部を回動可能に支承されると共に、外端をフロント板の内側に外側から操作可能に臨ませ、内端を第１及び第２の切替えレバーの段部に内側から係合可能に臨ませた第１及び第２の切替え部材とを有することを特徴とする電気錠の左右勝手切替え機構。
【発明の詳細な説明】
【０００１】
【発明の属する技術分野】
この発明は電気錠の左右勝手切換え機構（以下単に切換え機構という）に係り、特に、同じ機構の電気錠を、電気錠が装着される扉の左右勝手に応じて、右勝手にも左勝手にも切換えることができる切換え機構に関する。
【０００２】
【従来の技術】
扉の左右勝手とは、例えば、扉が開く方向から扉を見たとき、蝶番が左に見えるか右に見えるかの相違を言い、通常扉の自由側端縁に埋設される電気錠の錠箱は、左勝手と右勝手とでは相互に裏返しの関係になる。
【０００３】
電気錠は、錠箱内においてその側板に垂直な駆動カム軸の周りを回動自在に支承されると共に、室外側の操作軸に連結されるリトラクター駆動用の外側駆動カムを電磁アクチュエータで施解錠制御し、室内側の内側駆動カムは自由にするのが通常の構造である。
【０００４】
それは、構造が一番簡単になるからで、その代わり、扉の左右勝手に応じて左勝手の錠箱と右勝手の錠箱とが用意されている。
【０００５】
【発明が解決しようとする課題】
上記したように、扉の左右勝手に応じて電気錠の内部構造を変えて複数の電気錠を製造販売することは、錠前のメーカーにとって当然製造コストの上昇や製造管理上の煩雑さを招くばかりでなく、ユーザーや施工業者にとっても同じ煩雑さがある。
【０００６】
そこで、この発明は、同一の機構の電気錠を、扉の左右勝手に応じて左勝手と右勝手とに切換えることができる切換え機構を提供し、以て上記した不都合を解消することを目的としている。
【０００７】
【課題を解決するための手段】
上記の目的を達成するため、請求項１に記載の発明は、錠箱内においてその厚さ方向に積層された状態で、側板に垂直な駆動カム軸の周りを回動自在に支承されると共に、夫々室外側或いは室内側の操作軸に連結されるリトラクター駆動用の第１及び第２の一対の外側駆動カムと、これ等の外側駆動カムの所定の角度位置に形成されたロック切欠と、これ等のロック切欠の夫々に係脱する方向に移動可能に案内され、ロック切欠に係入する方向に付勢された一対のロックピースと、錠箱内において外側駆動カムの近傍に配設され、中央部を駆動カム軸と平行なアーム軸の周りを回動可能に支承されると共に、錠箱の厚さ方向に積層して配設され、夫々一端を対応するロックピースに連係させ、他端に傾斜端縁及び延長部を有する作動カムを形成した第１及び第２の一対の施解錠アームと、コイルから離間する方向に付勢されたプランジャを有するソレノイドと、中央部を作動カムとソレノイドのプランジャとの間において回動自在に支承され、一端をソレノイドのプランジャにリンク結合させると共に、他端を第１及び第２施解錠アームの作動カムの夫々の傾斜端縁に臨ませた揺動レバーと、錠箱の外側から、上記第１及び第２施解錠アームの傾斜端縁が揺動レバーの他端から離間する方向に、延長部を独立に押動して固定する第１及び第２の切換え部材とを有することを特徴とする。
【０００８】
また、請求項２に記載の発明は、錠箱内においてその厚さ方向に積層された状態で、側板に垂直な駆動カム軸の周りを回動自在に支承されると共に、夫々室外側或いは室内側の操作軸に連結されるリトラクター駆動用の第１及び第２の一対の外側駆動カムと、これ等の外側駆動カムの所定の角度位置に形成されたロック切欠と、これ等のロック切欠の夫々に係脱する方向に移動可能に案内され、ロック切欠に係入する方向に付勢された一対のロックピースと、錠箱内において外側駆動カムの近傍に配設され、中央部を駆動カム軸と平行なアーム軸の周りを回動可能に支承されると共に、錠箱の厚さ方向に積層して配設され、夫々一端を対応するロックピースに連係させ、他端に傾斜端縁及び延長部を有する作動カムを形成した第１及び第２の一対の施解錠アームと、コイルから離間する方向に付勢されたプランジャを有するソレノイドと、中央部を作動カムとソレノイドのプランジャとの間において回動自在に支承され、一端をソレノイドのプランジャにリンク結合させると共に、他端を第１及び第２施解錠アームの作動カムの夫々の傾斜端縁に臨ませた揺動レバーと、上記第１及び第２施解錠アームの夫々に対応して設けられ、相互に重合した状態で、夫々の基端を錠箱の側板に平行な平面内で回動可能に支承されると共に、自由端部を第１及び第２施解錠アームに夫々リンク結合させ、更に、自由端部の錠箱フロント板側の部分に形成された延伸部分に段部を形成した第１及び第２の切替えレバーと、錠箱のフロント板近傍に配設され、中央部を回動可能に支承されると共に、外端をフロント板の内側に外側から操作可能に臨ませ、内端を第１及び第２の切替えレバーの段部に内側から係合可能に臨ませた第１及び第２の切替え部材とを有することを特徴とする。
【０００９】
【実施例】
以下、この発明の実施例について、図面を参照して説明する。
なお、図１乃至図７は請求項１に記載の発明の、図８乃至図１１は請求項２の記載の発明の実施例を夫々示す。
【００１０】
図１において符号１は錠箱を示し、この錠箱１の下端部内方、すなわち、図１で右下の隅部には、第１外側駆動カム４と、第２外側駆動カム５とが夫々錠箱１の側板２に垂直な駆動カム軸３の回りを回動自在に支承されている。
【００１１】
上記第１及び第２外側駆動カム４、５は、夫々図２及び図３に示すように、ハンドルやノブなどの図示しない異形（図示の実施例では方形）断面の外側操作軸と嵌合する連結筒６に一体に結合された板カムで、図１に示すリトラクター７の受面８に接合する直線端縁部９を備えている（図２及び図３参照）。
【００１２】
上記第１及び第２外側駆動カム４、５は、図１に示すように、第１外側駆動カム４を手前側にして同軸に積層された状態で、夫々の外端部を錠箱の側板２に夫々独立に回動自在に支承されている。
【００１３】
なお、この発明による電気錠においては、１種類の錠箱を扉の左勝手と右勝手の双方に使用できるように、すなわち扉の左右勝手の如何に関わらず第１及び第２外側駆動カム４、５の何れかが室外側になるように、２個の外側駆動カムを設けている。
【００１４】
上記第１及び第２外側駆動カム４、５の所定の角度位置には、図２及び図３に示すように、夫々ロック切欠１１が形成されている。
【００１５】
一方、図１に示すように、これら第１及び第２外側駆動カム４、５の近傍には、夫々のロック切欠と係脱する方向に異同可能に案内された一対のロックピース１２、１２が配設されている。
【００１６】
各ロックピース１２は、図１及び図４に示すようなブロック体で、錠箱の側板２に開口した案内孔１３（図１参照）に沿って移動可能に支持案内されている。
【００１７】
実際には、ロックピース１２が案内孔１３から錠箱１外に抜け出てしまうことを防止するため、案内孔１３の幅はロックピースのそれより少し小さく設定され、これに対応してロックピース１２の上下の稜線部に段部が形成されているのであるが、図示の実施例では図面が煩雑になることを防止するため、その図示を省略する。
【００１８】
他方、図１に示すように、外側駆動カム４（５）の近傍に、例えばパイプ状のアーム軸１４が配設されており、このアーム軸１４には、夫々中央部をリング状に成形してこの中央部をアーム軸１４に回動可能に嵌合させた第１及び第２施解錠アーム１５、１６が装着されている。
【００１９】
上記第１施解錠アーム１５は、図５に示すように、錠箱の側板２に対する投影形状が略への字形で、リング状の中央部から斜め右下に延伸する作動腕１７に形成されたＵ字形の摺動溝１８を、ロックピース１２の切欠部に設けられた操作軸１９（図４参照）に摺動可能に係合させることにより、その一端をロックピース１２に連係させている。
【００２０】
また、上記作動腕１７に開口した略台形の角度規制窓２１（図５参照）は、施解錠アーム１５（１６）をアーム軸１４に装着したとき、側板２に植設されたストッパー２２と遊嵌し、施解錠アーム１５（１６）の作動角度を規制する。
【００２１】
更にまた、第１施解錠アーム１５のリング状の中央部の所定の角度位置における部分には、上記作動腕１７と一定の角度間隔を保って、側板２への投影形状が逆Ｖ字形の作動カム２３が一体に接続されている。
【００２２】
図示の実施例では、この作動カム２３の図５で左方の部分が傾斜端縁２３ａとなっている。
【００２３】
そして、この作動カム２３の先端に水平に延伸する延長部２４が一体に接続されており、この延長部２４は、後述するように、施解錠アーム１５（１６）を機械的に退避角度位置に係止して不作動状態におき、以って左右勝手を切換えるものである。
【００２４】
なお、第１及び第２施解錠アーム１５、１６には夫々図示しない捩りコイルばねが巻装されており、このねじりコイルばねの弾力により、ロックピース１２がロック切欠１１に係入する方向に付勢されている。
【００２５】
上記のように構成された第１施解錠アーム１５は、リング状の中央部を通る水平軸に関し上下対称に成形された第２施解錠アーム１６を下方にして、図１に示すように、夫々リング状の中央部をアーム軸１４に嵌合させて錠箱１に装着される。
【００２６】
このとき、第２施解錠アーム１６の作動腕１７は第２外側駆動カム５のロックピース１２に連係される。
【００２７】
一方、図６に示すように、錠箱１内の下方前方には、施錠角度位置における作動カム２３の延伸方向（水平方向）に平行なプランジャ２５を有するソレノイド２６が装着されている。
【００２８】
このソレノイド２６は、プランジャ２５を施錠角度位置における作動カム２３の延伸方向（水平方向）と同じくして錠箱の側板２に装着されている。
【００２９】
そして、図６に示すように、施解錠アームの作動カム２３とプランジャ２５の先端部との間に揺動レバー軸２７が植設されており、この揺動レバー軸２７に揺動レバー２８の中央部が回動自在に軸支されている。
【００３０】
この揺動レバー２８の一端（図示の実施例では下端）は、プランジャ２５の先端部及びこの先端部のスリワリ（付番しない）に挿入された揺動レバーの一端を共通に貫通する付番しないピンにより、ソレノイドのプランジャ２５にリンク結合されている。
【００３１】
また、揺動レバー３８の他端部（図示の実施例では上端）は、錠箱１の厚さ方向、すなわち、図１、２の紙面方向において、第１及び第２施解錠アーム１５、１６の作動カム２３、２３の中間に延伸しており、その先端の表面及び裏面には、紙面方向に長い駆動軸２９が一体に垂設されている。
【００３２】
そして、図６において下方の駆動軸２９は第２施解錠アーム１６の作動カム２３に、上方の駆動軸３９は手前側の第１施解錠アーム１５の作動カム２３の夫々谷部に臨んでいる。
【００３３】
更にまた、揺動レバー軸２７には図示しない捩りコイルばねが巻装されており、その一端は揺動レバー２８の他端部に錠箱の内方から、他端はソレノイド２６のプランジャが出入りする内面に夫々掛け止められている。
【００３４】
その為、揺動レバー２８は図において反時計方向に付勢され、その一端にリンク結合されたプランジャ２５はソレノイド２６のコイルから離間する方向に付勢されている。
【００３５】
一方、図１に戻って、錠箱のフロント板３１の近傍でソレノイド２６の上方に切換えレバー軸３２が植設されており、この切換えレバー軸３２には、錠箱１の厚さ方向、すなわち図１の紙面方向において積層された態様で第１及び第２切換えレバー３３、３４が夫々独立に回動可能に軸支されている。
【００３６】
各切換えレバー３３（３４）は、例えば全体の形状がへの字形で、中央部を切換えレバー軸３２に嵌合させており、その内端は夫々対応する施解錠アーム１５（１６）の延長部先端に外側から係合可能に臨んでいる。
【００３７】
すなわち、図１で手前側の第１切換えレバー３３の内端は、矢張り手前側の第１施解錠アーム１５の延長部２４に下方から係合可能に臨んでいる。
【００３８】
これとは対称的に、図１で下側の第２切換えレバー３４の内端は、矢張り下側の第２施解錠アーム１６の延長部２４に上方から係合可能に臨んでいる。
【００３９】
各切換えレバー３３（３４）の外端は、フロント板３１の内側の取付板３５の付番しない開口からフロント板３１の裏面を臨んでいる。
【００４０】
図１は室内、室外両方の操作部材を電気錠で施解錠する作動モードを示し、この場合フロント板３１を錠箱１に取り付けると切換えレバー３３、３４の外端縁は直線でフロント板３１の裏面に接合し、図１に示す角度位置を安定に保持する。
【００４１】
これに対し図６は、第２切換えレバー３４を作動方向に切換え、換言すれば第２切換えレバー３４を少し時計方向に回動させ、その内端により第２施解錠アーム１６の延長部２４（図１参照）を下方に押し下げた状態を示す。
【００４２】
図６においては、第２切換えレバー３４の作動により第２施解錠アーム１６が反時計方向に回動し、その結果第２外側駆動カム５のロック切欠１１からロックピースが外れる。
【００４３】
この状態は第２外側駆動カム５を室内側に割り当て、室内側のノブやハンドルを回せば電気錠の施解錠の如何に関わらず扉を開けることができる作動モードに対応する。
【００４４】
これとは反対に、第２切換えれバー３４を図１に示す角度位置に戻し、第１切換えれバー３３を反時計方向に回動させて作動角度位置に置けば（図示せず）、今度は第１外側駆動カム４が自由状態になり、これは左右勝手が上記とは反対になり、第１外側駆動カム４が室内側になった場合に対応する。
【００４５】
何れの勝手に切換えられた場合でも、図６に示すように、フロント板３１を錠箱に装着すれば、切換えれバー３３（３４）の外端の隅部がフロント板の裏面に当接して切換えられた角度位置を安定に保持する。
【００４６】
本発明による切換え機構を備えた電気錠は、図１に示すようにソレノイド２６がアーム軸１４に近接する位置に装着された状態において、すなわちソレノイドがフロント板３１から離間する位置に装着された状態において、ソレノイド２６が通電されてプランジャ２５がコイル内に引込んだとき、揺動レバー３８の他端に垂設された駆動軸３９が作動カム２３の谷底に接するように、換言すればＶ字形の作動カム２３の屈曲部に内側から接するように、その諸元が設定されている。
【００４７】
換言すれば、この電気錠はソレノイド２６が通電されているときに施錠状態となる所謂通電時施錠型の電気錠である。
【００４８】
ちなみに、特願２０００−２４７７６５の明細書に記載されているように、ソレノイド２４をプランジャ２５の伸縮量分フロント板３１に近接させて装着すれば所謂通電時解錠型の電気錠となるのだが、その作動モードの切換えはこの発明の要旨ではないので、更に詳細な説明を省略する。
【００４９】
上記通電時施錠型の作動モードにおいて、ソレノイド２６が通電されているときには、図６に示すように、プランジャ２５が左方に移動し、揺動レバー２８が直立する。
【００５０】
その結果、第１施解錠アーム１５は、作動カム２３の谷底を駆動軸２９に接するように、換言すれば駆動軸２９が傾斜端縁２３ａ（図５参照）と係合しない角度位置にあるので、その作動腕１７に連係されたロックピース１２が第１外側駆動カム４に係入する方向に回動し、駆動軸２９によって係止される。
【００５１】
この状態は施錠状態で、第２外側駆動カム５の一方に室内側の操作軸が、第１外側駆動カム４に室外側の操作軸が夫々連結された状態を想定してみると、外側操作軸を回しても駆動カムがロックピース１２に係止され、デッドボルト４１を錠箱内に引っ込めることはできない。
【００５２】
しかしながら、図６から明らかなように、また前記したように、第２切換えレバー３４によって第２施解錠アーム１６は不作動状態となっており、第２外側駆動カム５とロックピース１２との係合が解かれているので、室内側のノブやハンドルは何時でも回すことができる。
【００５３】
この通電時施錠型の作動モードでソレノイド２６への電流を遮断すると、図７に示すように、その付勢力によりプランジャ２５は右方に引出され、揺動レバー３８は反時計方向に回動する。
【００５４】
その結果、駆動軸２９は第１施解錠アーム１５の作動カム２３の左方の傾斜端縁２３ａを押動する。
【００５５】
すると、傾斜端縁２３ａと駆動軸２９との間に生じる楔作用により、第１施解錠アーム１５は時計方向に回動し、連係されたロックピース１２を第１外側駆動カム４のロック切欠１１から抜き外す。
【００５６】
したがって、第１外側駆動カム４は自由になり、室外側の操作軸を回すことにより第１外側駆動カム４を回動させることが可能になる。
【００５７】
この状態が電気錠の解錠状態で、何れか、或いは双方の外側駆動カムが回動することにより、リトラクター３６がその自由端を右方に移動させるように回動する。
【００５８】
図示の実施例におけるリトラクター３６の作動については、この発明の要旨ではないので、更に詳細な説明は省略する。
【００５９】
ちなみに、通常の錠箱におけるリトラクターは、ハンドル軸によって操作された場合、ラッチボルト或いはデッドボルトを兼ねたラッチボルトを錠箱内に引っ込める方向に駆動することができる。
【００６０】
図８乃至図１１に示す請求項２に記載の発明においては、全体の形状がＬ字形の第１及び第２切替えレバー３３、３４が直接に第１及び第２施解錠アーム１５、１６と係合するのではなく、夫々第１及び第２連係レバー４３、４４を介して係合する。
【００６１】
すなわち、図８に見える錠箱の側板２に近い方から順に、第２連係レバー４４（図９参照）及び第１連係レバー４３（図１０参照）の夫々の基端が、連係レバー軸４５（図８参照）により、相互に重合した状態で、側板２に平行な平面内で回動可能に軸支されている。
【００６２】
なお、第１及び第２連係レバー４３、４４の基端は夫々上方に延伸してマイクロスイッチの駆動部を形成しているが、このマイクロスイッチ駆動部はこの発明の必須の構成要件ではない。
【００６３】
そして、図９に示すように、第２連係レバー４４の自由端部右方に植設された連結ピン４７が、第２施解錠アーム１６の前記角度規制窓２１とほぼ同じ角度位置に開口した扇形の連係孔４６と係合することにより、第２連係レバー４４と第２施解錠アーム１６とがリンク結合されている。
【００６４】
同様にして、図１０に示すように、第１連係レバー４３と第１施解錠アーム１５も相互にリンク結合されている。
【００６５】
また、図９及び図１０に示すように、連係レバー４３（４４）の自由端部のフロント板３１側の部分には外方（左方）に突出する延伸部分４８が形成され、その先端には錠箱の側板２に垂直な段部４９が形成されている。
【００６６】
各連係レバー４３（４４）の段部４９には、夫々第１及び第２切替えレバー３３（３４）の内端が内側から係合可能に臨んでいる。
【００６７】
なお、図８に示す実施例では、連係レバー４３（４４）の形状は、この発明の目的以外の目的でソレノイド２６を左右に移動させるレバーと同形に設定されているが、これはこの発明の必須の構成ではない。
【００６８】
上記のように構成された請求項２に記載の発明による切替え機構は、図９、図１０に示すように、第１或いは第２切替えレバー３３（３４）が不作動角度位置にあるときには、ソレノイド２６の作動による第１施解錠アーム１５の時計方向の回動、或いは第２施解錠アーム１６の反時計方向の回動に対し、第１或いは第２連係レバー４３、４４は、施解錠アーム１５、１６に従動し、夫々の段部４９が切替えれバー３３（３４）の内端を離れて外方（左方）に移動する方向に回動するので切替えレバーと干渉することはない。
【００６９】
一方、図１１に示すように、例えば第２切替えれバー３４を所定の角度時計方向に回動させて作動角度位置に置くと、第２連係レバー４４は時計方向に、第２施解錠アーム１６は反時計方向に回動し、その作動カム２３が前記駆動軸２９（図６参照）の移動軌跡外に退避するので、前記請求項１に記載の発明による切替え機構と同様に左右勝手の切替えが行われる。
【００７０】
【発明の効果】
以上の説明から明らかなように、この発明は、一対の施解錠レバーの傾斜端縁を１個のソレノイドにより制御される揺動レバーにより同時に駆動するように構成すると共に、各施解錠レバーの傾斜端縁に接続された延長部と夫々係合する一対の切換えレバーにより選択的に施解錠レバーを不作動状態に置くことができるようにしたので、１種類の電気錠を右勝手の扉にも左勝手の扉にも切換えて使用できる、という所期の効果を奏する。
【図面の簡単な説明】
【図１】請求項１に記載の発明による切換え機構を装着した電気錠の側面図で、内外双方の操作軸を施解錠する作動モードに切換えられ、かつソレノイドが通電されている状態を示す。
【図２】第１外側駆動カムの平面図。
【図３】第２外側駆動カムの平面図。
【図４】ロックピースの正面図。
【図５】第１施解錠アームの平面図。
【図６】図１と同様の側面図で、第２外側駆動カムを自由にする作動モードに切換えられ、かつソレノイドが通電されて電気錠が施錠されている状態を示す。
【図７】図６と同様の側面図で、ソレノイドへの電流が遮断されて電気錠が解錠された状態を示す。
【図８】請求項２に記載の発明による切換え機構を装着した電気錠の側面図。
【図９】第２連係レバー、第２施解錠アーム及びり第２切替えレバーの連係の態様を示す線図で、第２切替えレバーが不作動角度位置にある状態を示す。
【図１０】第１連係レバー、第１施解錠アーム及びり第１切替えレバーの連係の態様を示す線図で、第１切替えレバーが不作動角度位置にある状態を示す。
【図１１】図１０と同様の線図で、第２切替えれバーが作動角度位置にある状態を示す。
【符号の説明】
１  錠箱
２  側板
４  第１外側駆動カム
５  第２外側駆動カム
１１  ロック切欠
１２  ロックピース
１４  アーム軸
１５  第１施解錠アーム
１６  第２施解錠アーム
２３  作動カム
２３ａ  傾斜端縁
２４  延長部
２５  プランジャ
２６  ソレノイド
２７  揺動レバー軸
２８  揺動レバー
２９  駆動軸
３１  フロント板
３２  切換えレバー軸
３３  第１切換えレバー
３４  第２切換えレバー
３５  取付板
３６  リトラクター
４３  第１連係レバー
４４  第２連係レバー
４５  連係レバー軸
４６  連係孔
４７  連結ピン
４８  延伸部分
４９  段部
【図１】
0004249385.tif 000002
【図２】
0004249385.tif 000003
【図３】
0004249385.tif 000004
【図４】
0004249385.tif 000005
【図５】
0004249385.tif 000006
【図６】
0004249385.tif 000007
【図７】
0004249385.tif 000008
【図８】
0004249385.tif 000009
【図９】
0004249385.tif 000010
【図１０】
0004249385.tif 000011
【図１１】
0004249385.tif 000012